(57)【特許請求の範囲】
【請求項１】
偏平電線の挿入口を有するコネクタハウジングと、このコネクタハウジング内に設けられた多数のコンタクトと、これらのコンタクトに設けられた、固定接片部及び可動接片部をそれぞれが有する接点が対向するように対峙させてなる接点部及びこの接点部に隣接するスライダ挿入部と、このスライダ挿入部に、一方向への回転により前記可動接片部を前記固定接片部側に変位させて、前記挿入口から前記コネクタハウジング内に挿入された前記偏平電線を前記両接点で接触挟持させるように回転可能に保持させた回転スライダとを備え、前記回転スライダを前記挿入口側に配置すると共に、前記コンタクトのリード部を前記挿入口とは反対側に配置し、更に、前記スライダ挿入部に前記スライダの回転作動部を挿入して、この回転作動部の支点部をスライダ挿入部の支点受部に摺動可能に嵌合し、前記回転作動部を前記可動接片部に当接させて、この回転作動部と前記挿入口とで、偏平電線の挿入時に該偏平電線の先端が前記固定側接片部と前記可動側接片部の先端に干渉しないように、前記偏平電線の両面をガイドする電線導入口を形成し、この電線導入口を、前記固定側接片部と前記可動側接片部との間の間隙部の直上に位置させたことを特徴とするコネクタ構造。
【請求項２】
前記コンタクトに、固定接点を有する固定接片部で構成された接点部と、この接点部に隣接するスライダ挿入部とを設け、このスライダ挿入部に、一方向への回転により、前記挿入口から前記コネクタハウジング内に挿入された前記偏平電線をロックすると共に、この偏平電線を前記固定接片部側に押圧して前記固定接点に接触させるために、前記回転スライダにロック用爪部を設け、このロック用爪部が前記回転スライダの回転中心よりも下方且つ左方に位置させて前記回転スライダを回転可能に保持させた請求項１に記載のコネクタ構造。
【請求項３】
前記スライダの前記回転作動部に、前記偏平電線の係合孔部に係脱可能に係合する係合部を設け、前記スライダ挿入部に前記スライダの前記回転作動部を挿入して、この回転作動部の支点部を前記スライダ挿入部の支点受部に摺動可能に嵌合し、前記回転作動部と前記挿入口とで電線導入口を形成し、この電線導入口を、前記固定側接片部と前記回転作動部との間の間隙部の直上に位置させた請求項２に記載のコネクタ構造。
【発明の詳細な説明】
【０００１】
【発明の属する技術分野】
本発明は、コネクタハウジングに設けた挿入口を介してフレキシブルプリント基板（ＦＰＣ）やフレキシブルフラットケーブル（ＦＦＣ）などの偏平電線を挿抜させるコネクタ構造に関するものである。
【０００２】
【従来の技術】
従来のこの種のコネクタ構造としては、スライダスライドタイプのコネクタ構造がある。このスライダスライドタイプのコネクタ構造は、図１４及び図１５に示すように両側が開口されたコネクタハウジング６０を備えており、このコネクタハウジング６０内にはコンタクト６１が収納してあり、このコンタクト６１は、コネクタハウジング６０内で固定側になるコンタクト部分６２と、可動側になるコンタクト部分６３とを有している。
【０００３】
そして、このコネクタ構造にフレキシブルプリント基板（ＦＰＣ）６４を接続する場合には、このＦＰＣ６４及びスライダ６５を挿入口６６からコネクタハウジング６０内に挿入し、ＦＰＣ６４のみを、固定側コンタクト部分６２と可動側コンタクト部分６３との間に挿入していく。そして、ＦＰＣ６４の両コンタクト部分６２、６３間の所定位置への挿入が完了すると、スライダ６５を押し込み、このスライダ６５のロック部６５ａの平坦面でＦＰＣ６４を押し上げて、可動側コンタクト部分６３に圧接させ、このＦＰＣ６４を可動側コンタクト部分６３とスライダ６５のロック部６５ａの平坦面とでロックする。
【０００４】
また、ＦＰＣ６４を外す場合には、スライダ６５をコネクタハウジング６０内より抜き出すことによりＦＰＣ６４のロックを外し、このＦＰＣ６４を抜き出す。
【０００５】
【発明が解決しようとする課題】
しかしながら、スライダスライドタイプのコネクタ構造にあっては、スライダ６５の操作力が極数に比例して増加するために、多極対応が難しいという問題点があった。
【０００６】
また、従来のコネクタ構造としての回転スライダタイプのコネクタ構造にあっては、コネクタハウジングの後端部に設けた回転スライダを操作することにより、ＦＰＣを直接押して、このＦＰＣをコンタクトに接触させるものがあるが、ＦＰＣの動きによって、回転スライダが外れるという不具合があったし、また、回転スライダがコネクタハウジングの後端部にあるために、トップエントリー型の対応が難しく、ＦＰＣのコネクタ接続及びこの接続の解除が容易にできないという問題点があった。
【０００７】
本発明は、上記の問題点に着目して成されたものであって、その目的とするところは、トップエントリー型の対応が可能になり、偏平電線のコネクタ接続及びこの接続の解除が容易になるコネクタ構造を提供することにある。
【０００８】
【課題を解決するための手段】
上記の目的を達成するために、請求項１の発明に係るコネクタ構造は、偏平電線の挿入口を有するコネクタハウジングと、このコネクタハウジング内に設けられた多数のコンタクトと、これら多数のコンタクトに設けられた、固定接片部及び可動接片部をそれぞれが有する接点が対向するように対峙させてなる接点部及びこの接点部に隣接するスライダ挿入部と、このスライダ挿入部に、一方向への回転により前記可動接片部を前記固定接片部側に変位させて、前記挿入口から前記コネクタハウジング内に挿入された前記偏平電線を前記両接点で接触挟持させるように回転可能に保持させた回転スライダとを備え、前記回転スライダを前記挿入口側に配置すると共に、前記コンタクトのリード部を前記挿入口とは反対側に配置し、更に、前記スライダ挿入部に前記スライダの回転作動部を挿入して、この回転作動部の支点部をスライダ挿入部の支点受部に摺動可能に嵌合し、前記回転作動部を前記可動接片部に当接させて、この回転作動部と前記挿入口とで、偏平電線の挿入時に該偏平電線の先端が前記固定側接片部と前記可動側接片部の先端に干渉しないように、前記偏平電線の両面をガイドする電線導入口を形成し、この電線導入口を、前記固定側接片部と前記可動側接片部との間の間隙部の直上に位置させたことを特徴とする。
【０００９】
かかる構成により、コンタクトのリード部を、例えばプリント基板にハンダ付けして、このプリント基板にコネクタ構造を実装した場合に、回転スライダが挿入口側に配置してある関係で、回転スライダはコネクタ構造の先側に位置する。このために、コネクタ構造の先側に位置する挿入口からコネクタハウジング内に偏平電線を挿入し、回転スライダを一方向に回転させることで、接点部に偏平電線を接触させることができるようになって、トップエントリー型の対応が可能になり、偏平電線のコネクタ接続及びこの接続の解除が容易になる。
【００１１】
また、かかる構成により、回転スライダを一方向に回転させることで、接点部の可動接片部を固定接片部側に変位させて、偏平電線を両接点で接触挟持することができる。このように、偏平電線を直接押圧するのではなく、接点部の可動接片部を介して偏平電線を押圧するために、偏平電線の動きによって、回転スライダが外れるという不具合が解消できるし、また、回転スライダを用いるために多極対応が可能になる。
【００１３】
また、かかる構成により、挿入口から電線導入口を介して固定側接片部と可動側接片部との間の間隙部に偏平電線を挿入し、回転スライダを一方向に回転させることで、接点部の可動接片部を固定接片部側に変位させて、偏平電線を両接点で接触挟持することができる。このように、偏平電線を直接押圧するのではなく、接点部の可動接片部を介して偏平電線を押圧するために、偏平電線の動きによって、回転スライダが外れるという不具合が解消できるし、また、回転スライダを用いるために多極対応が可能になる。
【００１４】
また、上記の目的を達成するために、請求項２の発明に係るコネクタ構造は、前記コンタクトに、固定接点を有する固定接片部で構成された接点部と、この接点部に隣接するスライダ挿入部とを設け、このスライダ挿入部に、一方向への回転により、前記挿入口から前記コネクタハウジング内に挿入された前記偏平電線をロックすると共に、この偏平電線を前記固定接片部側に押圧して前記固定接点に接触させるために、前記回転スライダにロック用爪部を設け、このロック用爪部が前記回転スライダの回転中心よりも下方且つ左方に位置させて前記回転スライダを回転可能に保持させた。
【００１５】
かかる構成により、上記した請求項１の発明の作用効果と同様な作用効果を奏し得るばかりか、回転スライダを一方向に回転させることで、回転スライダで偏平電線にロックすると共に、この偏平電線を固定接片部側に押圧して固定接点に接触させることができる。このように、回転スライダで偏平電線にロックするために、偏平電線の抜けが防止でき、また、回転スライダを用いるために多極対応が可能になる。
【００１６】
また、上記の目的を達成するために、請求項３の発明に係るコネクタ構造は、請求項２に記載のコネクタ構造において、前記スライダの前記回転作動部に、前記偏平電線の係合孔部に係脱可能に係合する係合部を設け、前記スライダ挿入部に前記スライダの前記回転作動部を挿入して、この回転作動部の支点部を前記スライダ挿入部の支点受部に摺動可能に嵌合し、前記回転作動部と前記挿入口とで電線導入口を形成し、この電線導入口を、前記固定側接片部と前記回転作動部との間の間隙部の直上に位置させた。
【００１７】
かかる構成により、上記した請求項１の発明の作用効果と同様な作用効果を奏し得るばかりか、挿入口から電線導入口を介して固定側接片部と回転作動部との間の間隙部に偏平電線を挿入し、回転スライダを一方向に回転させることで、回転スライダの回転作動部に設けた係合部を偏平電線の係合孔部に係脱可能に係合させて、偏平電線をロックすると共に、この偏平電線を固定接片部側に押圧して固定接点に接触させることができる。このように、回転スライダで偏平電線にロックするために、偏平電線の抜けが防止でき、また、回転スライダを用いるために多極対応が可能になる。
【００１８】
【発明の実施の形態】
以下、本発明を図面を参照して説明する。
【００１９】
（実施の形態例１）
本発明の実施の形態例１を図１乃至図６に示す。
【００２０】
本発明に係るコネクタ構造（実施の形態例１）は、コネクタハウジング１と、このコネクタハウジング１に装着されたコンタクト２と、コネクタハウジング１に装着された回転スライダ３とから構成してある。
【００２１】
コネクタハウジング１は、図２に示すように断面四角形状で且つ紙面に対して垂直方向に長いハウジング本体１Ａを有しており、このハウジング本体１Ａ内には空間部４が設けてあり、また、ハウジング本体１Ａの上面部１ａには、空間部４に通じる挿入口５が設けてあり、また、ハウジング本体１Ａの下部には、その長手方向に所定のピッチをおいて多数のコンタクト挿入孔６が設けてあり、これらのコンタクト挿入孔６の上端側は空間部４に通じている。
【００２２】
そして、挿入口５の左側部は垂直面７に成されており、この垂直面７と空間部４の左側壁部４ａとの間には段部８が形成してある。また、挿入口５の右側部は空間部４の右側壁部４ｂの上端部で形成してあって、ハウジング本体１Ａの上面部１ａより一段低い傾斜面９にしてある。
【００２３】
また、コンタクト挿入孔６は空間部４より幅広にしてあり、隣り合うコンタクト挿入孔６の一方のものには、その左側下部にリード導出部６Ａが形成してあり、また、他方のコンタクト挿入孔６には、その右側下部にリード導出部６Ａが形成してある。
【００２４】
また、コンタクト２は一方のコンタクト挿入孔６に挿入される一方のコンタクト２−１と他方のコンタクト挿入孔６に挿入される他方のコンタクト２−２とがある。
【００２５】
そして、一方のコンタクト２−１は、図４に示すように金属性の板材を打ち抜き成形した板状のコンタクト本体２Ａを有しており、コンタクト本体２Ａの基部には圧入部１０が形成してあり、この圧入部１０の左側縁部にはリード部１１が形成してある。また、コンタクト本体２Ａの先部には、その中央に位置させてスライダ挿入部１２が、その左側に位置させて接点部１３が、その右側に位置させて保持部１４がそれぞれ形成してある。
【００２６】
接点部１３は固定側接片部１５と可動側接片部１６とを所定の幅寸法の間隙部１７を存して対峙させて構成してあり、固定側接片部１５の外縁部１５ａは、コンタクト本体２Ａの左縁部２ａの延長上に位置しており、固定側接片部１５の内縁部１５ｂには固定接点１８が形成してある。また、可動側接片部１６は固定側接片部１５より幅狭に成されていて、その内縁部１６ｂには可動接点１９が形成してある。
【００２７】
また、スライダ挿入部１２は切欠きで形成してあって、このスライダ挿入部１２の左縁部１２ａは可動側接片部１６の外縁部１６ａであり、スライダ挿入部１２の右縁部１２ｂにはその略中央部に位置させて凹部からなる支点受部２０が形成しあり、この支点受部２０から上部には傾斜部２１が形成してある。
【００２８】
また、保持部１４は接点部１３より背が高く、この保持部１４の外縁部１４ａは、コンタクト本体２Ａの右縁部２ｂの延長上に位置している。
【００２９】
また、他方のコンタクト２−２、上記した一方のコンタクト２−１において、圧入部１０の右側縁部にリード部１１を形成したものであり、他の構成は一方のコンタクト２−１と同様である。
【００３０】
また、回転スライダ３は、図６に示すように紙面に対して垂直方向に長いスライダ本体３Ａを有しており、このスライダ本体３Ａの一方には回転作動部２２が、他方には回転作動部２２に対して屈曲したハンドル部２３がそれぞれ形成してある。回転作動部２２は断面略長方形状であって、その左側面部２２ａと端面部２２ｂとが成す角部には傾斜面よりなる押圧部２４が形成してあり、その右側面部２２ｃの中間部にはスライダ本体３Ａの長手方向に沿う突条からなる支点部２５が形成してある。
【００３１】
また、ハンドル部２３は回転作動部２２に対して屈曲しており、このハンドル部２３の上面部２３ａには凹凸状の滑り止め２６が形成してあり、また、ハンドル部２３の上面部２３ａと回転作動部２２の左側面部２２ａとがなす角部は斜面部２７Ａにしてあり、また、この斜面部２７Ａと回転作動部２２の左側面部２２ａとの間には垂直面部２７が形成してあり、この垂直面部２７と回転作動部２２の左側面部２２ａとの間には段部２８が形成してある。また、ハンドル部２３の下面部２３ｂと回転作動部２２の右側面部２２ｃとが成す角部３１は、スライダ挿入部１２の傾斜部２１から保持部１４の上端部１４ｂにかけて形成してあるく字形状の当接部２９に合致する形状にしてある。
【００３２】
そして、一方のコンタクト挿入孔６に一方のコンタクト２−１が、他方のコンタクト挿入孔６に他方のコンタクト２−２が、それぞれの圧入部１０をコンタクト挿入孔６に圧入してコネクタハウジング１に取り付けてあり、一方のコンタクト２−１のリード部１１は一方のコンタクト挿入孔６の左側下部のリード導出部６Ａより左側方に突出してあり、また、他方のコンタクト２−１のリード部１１は他方のコンタクト挿入孔６の右側下部のリード導出部６Ａより右側方に突出してある。そして、コンタクト本体２Ａの左縁部２ａの延長上に位置している接点部１３は左縁部２ａと共に、空間部４の左側壁部４ａに当接し、コンタクト本体２Ａの右縁部２ｂの延長上に位置している保持部１４は右縁部２ｂと共に、空間部４の右側壁部４ｂに当接している。
【００３３】
このようにしてコネクタハウジング１に、多数のコンタクト２−１、２−２が、一定のピッチで取り付けられると、スライダ挿入部１２、接点部１３及び保持部１４は、コネクタハウジング１の長手方向にそれぞれに平行して一直線に並んだ状態になる。
【００３４】
そして、一直線に並んだスライダ挿入部１２には、回転スライダ３の回転作動部２２が挿入してあって、この回転作動部２２の支点部２５はスライダ挿入部１２の凹部からなる支点受部２０に摺動可能に嵌合しており、回転スライダ３の左側面部２２ａはスライダ挿入部１２の左縁部、すなわち可動接片部１６の外縁部１６ａに当接している。この状態では、回転スライダ３の回転作動部２２の垂直面部２７は、挿入口５の垂直面７に対向していて、両垂直面部２７、７で電線導入口３０を形成している。この電線導入口３０は、接点部１３の固定側接片部１５と可動側接片部１６との間隙部１７の直上に位置している。
【００３５】
次に、上記のように構成されたコネクタ構造への偏平電線であるフレキシブルプリント基板（以下、ＦＰＣという）５０の接続と、この接続の解除を説明する。
【００３６】
上記のように構成されたコネクタ構造は、そのリード部１１をプリント基板４０の導電パターン（図示せず）にハンダ付けして実装される。
【００３７】
ＦＰＣ５０の挿入前のコネクタ構造にあっては、図１及び図３の（１）に示すように回転スライダ３の左側面部２２ａはスライダ挿入部１２の左縁部、すなわち可動接片部１６の外縁部１６ａに当接し、ハンドル部２３と回転作動部２２とが成す角部３１は、スライダ挿入部１２の傾斜部２１から保持部１４の上端部１４ａに沿うく字形状の当接部２９より離れており、両垂直面部２７、７が形成する電線導入口３０は、接点部１３の固定側接片部１５と可動側接片部１６との間隙部１７の直上に位置している。この場合、可動側接片部１６は回転スライダ３から何等の力を受けないので、固定側接片部１５の固定接点１８と可動側接片部１６の可動接点１９との間の隙間ｍはＦＰＣ５０の厚さ寸法ｔより大きくなっている。
【００３８】
次に、図３の（２）に示すようにＦＰＣ５０が電線導入口３０から接点部１３の固定接点１８と可動接点１９との間の隙間ｍを通して固定側接片部１５と可動側接片部１６との間隙部１７に挿入される。
【００３９】
次に、図３の（３）に示すように回転スライダ３のハンドル部２３に押圧力Ｆを作用させることにより、この回転スライダ３を、その回転作動部２２の支点部２５を支点にして右回転させる。この回転スライダ３の右回転により、回転作動部２２の角部に設けた傾斜面よりなる押圧部２４が矢印のように左方向に可動側接片部１６を押圧して、この可動側接片部１６を左方向に変位させて、可動接点１９と固定接点１８とでＦＰＣ５０の接点部を挟み付け、このＦＰＣ５０をコンタクト２（２−１、２−２）に導通させる。この状態では回転スライダ３はロック機構（図示せず）によりロックされる。
【００４０】
また、コネクタ構造からＦＰＣ５０を外す場合には、回転スライダ３のロックを解除して、回転スライダ３を、その回転作動部２２の支点部２５を支点にして左回転させ、回転作動部２２の押圧部２４を右方向に移動させて、可動側接片部１６の押圧を解除して、可動接点１９と固定接点１８とによりＦＰＣ５０の接点部の挟み付けを解除し、このＦＰＣ５０を固定側接片部１５と可動側接片部１６との間隙部１７より抜き出す。
【００４１】
上記にように本発明の実施の形態例１にあっては、コンタクト２のリード部１１を、プリント基板４０にハンダ付けして、このプリント基板４０にコネクタ構造を実装した場合に、回転スライダ３が挿入口５側に配置してある関係で、回転スライダ３はコネクタ構造の先側に位置する。このために、コネクタ構造の先側に位置する挿入口５からコネクタハウジング１内にＦＰＣ５０を挿入し、回転スライダ４３を一方向に回転させることで、接点部３にＦＰＣ５０を接触させることができるようになって、トップエントリー型の対応が可能になり、ＦＰＣ５０のコネクタ接続及びこの接続の解除が容易になる。
【００４２】
また、挿入口５から電線導入口３０を介して固定側接片部１５と可動側接片部１５との間の間隙部１７にＦＰＣ５０を挿入し、回転スライダ３を一方向に回転させることで、接点部１３の可動接片部１６を固定接片部１５側に変位させて、ＦＰＣ５０を両接点１８、１９で接触挟持することができる。このように、ＦＰＣ５０を直接押圧するのではなく、接点部１３の可動接片部１６を介してＦＰＣ５０を押圧するために、ＦＰＣ５０の動きによって、回転スライダ３が外れるという不具合が解消できるし、また、回転スライダ３を用いるために多極対応が可能になる。
【００４３】
（実施の形態例２）
本発明の実施の形態例２を図７乃至図１３に示す。
【００４４】
本発明に係るコネクタ構造（実施の形態例２）は、コネクタハウジング４１と、このコネクタハウジング４１に装着されたコンタクト４２と、コネクタハウジング４１に装着されたスライダ４３とから構成してある。コネクタハウジング４１は、上記した本発明の実施の形態例１におけるコネクタハウジング１と同構成であるので、同じ符号を付して説明を省略する。
【００４５】
また、コンタクト４２は一方のコンタクト挿入孔６に挿入される一方のコンタクト４２−１と他方のコンタクト挿入孔６に挿入される他方のコンタクト４２−２とがある。
【００４６】
そして、一方のコンタクト４２−１は、図８に示すように上記した本発明の実施の形態例１における一方のコンタクト２−１において、その接点部１３及びスライダ挿入部１２の形状を変えたものである。すなわち、接点部１３は固定側接片部１５のみで構成してあり、固定側接片部１５の外縁部１５ａは、コンタクト本体２Ａの左縁部２ａの延長上に位置しており、固定側接片部１５の内縁部１５ｂには固定接点１８が形成してある。
【００４７】
また、スライダ挿入部１２は固定側接片部１５の内縁部１５ｂを含み、このスライダ挿入部１２の左縁部１２ａは固定側接片部１５の内縁部１５ｂであり、また、スライダ挿入部１２の底部にはスライダ受部４７が形成してある。また、スライダ挿入部１２の右縁部１２ｂにはその略中央部に位置させて凹部からなる支点受部２０が形成してあり、この支点受部２０から上部には傾斜部２１が形成してある。
【００４８】
また、保持部１４は接点部１３より背が高く、この保持部１４の外縁部１４ａは、コンタクト本体２Ａの右縁部２ｂの延長上に位置している。
【００４９】
また、他方のコンタクト４２−２は、上記した一方のコンタクト４２−１において、圧入部１０の右側縁部にリード部１１を形成したものであり、他の構成は一方のコンタクト４２−１と同様である。
【００５０】
また、スライダ４３は、図１０に示すように上記した本発明の実施の形態例１における回転スライダ３と同様に、スライダ本体３Ａの一方には回転作動部２２が、他方には回転作動部２２に対して屈曲したハンドル部２３がそれぞれ形成してある。回転作動部２２は断面略長方形状であって、その左側面部２２ａには、その長手方向の両端部（前、後端部）には、図１１に示すように係合部であるロック用爪部４４が形成してある。また、ロック用爪部４４の端面が当接面部４６にしてある。また、回転作動部２２の左側面部２２ａには垂直面部２７−１が形成してある。そして、他の構成は、上記した本発明の実施の形態例１における回転スライダ３と同様であるために、同じ符号を付して説明を省略する。
【００５１】
そして、一方のコンタクト挿入孔６に一方のコンタクト４２−１が、他方のコンタクト挿入孔６に他方のコンタクト４２−２が、それぞれの圧入部１０をコンタクト挿入孔６に圧入してコネクタハウジング４１に取り付けてあり、一方のコンタクト４２−１のリード部１１は一方のコンタクト挿入孔６の左側下部のリード導出部６Ａより左側方に突出してあり、また、他方のコンタクト４２−１のリード部１１は他方のコンタクト挿入孔６の右側下部のリード導出部６Ａより右側方に突出してある。
【００５２】
そして、コンタクト本体２Ａの左縁部２ａの延長上に位置している接点部１３は、左縁部２ａと共に、空間部４の左側壁部４ａに当接し、コンタクト本体２Ａの右縁部２ｂの延長上に位置している保持部１４は、右縁部２ｂと共に、空間部４の右側壁部４ｂに当接している。
【００５３】
このようにしてコネクタハウジング１に、多数のコンタクト４２−１、４２−２が、一定のピッチで取り付けられると、スライダ挿入部１２、接点部１３及び保持部１４は、コネクタハウジング１の長手方向にそれぞれに平行して一直線に並んだ状態になる。
【００５４】
そして、一直線に並んだスライダ挿入部１２には、回転スライダ４３の回転作動部２２が挿入してあって、この回転作動部２２の支点部２５はスライダ挿入部１２の凹部からなる支点受部２０に摺動可能に嵌合しており、回転スライダ４３のロック用爪部４４、４５の端面である当接面部４６がスライダ挿入部１２の底部のスライダ受部４７に当接していて、この状態では、回転スライダ４３の回転作動部２２の垂直面部２７−１は、挿入口５の垂直面７に対向していて、両垂直面部２７、７で電線導入口３０を形成している。この電線導入口３０は、接点部１３の固定側接片部１５と回転スライダ４３の回転作動部２２との間隙部１７−１の直上に位置している。
【００５５】
次に、上記のように構成されたコネクタ構造へのフレキシブルプリント基板（以下、ＦＰＣという）５０の接続と、この接続の解除を説明する。
【００５６】
ＦＰＣ５０の端末部には、図１３の（１）に示すように、その両側に位置させてＦＰＣ５０の補強部材５０−１を利用して係合孔部であるロック用孔部４８が設けてある。
【００５７】
図１２の（１）に示すようにＦＰＣ５０が電線導入口３０から固定側接片部１５と回転スライダ４３の回転作動部２２との間隙部１７−１に挿入される。
【００５８】
次に、図１２の（２）に示すように回転スライダ４３のハンドル部２３に押圧力Ｆを作用させることにより、この回転スライダ４３を、その回転作動部２２の支点部２５を支点にして右回転させる。この回転スライダ４３の右回転により、回転作動部２２に設けたロック用爪部４４がＦＰＣ５０の両側に設けたロック用孔部４８に挿入され、これと同時に、ロック用爪部４４が矢印のようにＦＰＣ５０の接点部を左方向に押圧してＦＰＣ５０の接点部を固定接点に接触させて、このＦＰＣ５０をコンタクト４２（４２−１、４２−２）に導通させる。この状態では回転スライダ４３はロック機構（図示せず）によりロックされる。
【００５９】
また、コネクタ構造からＦＰＣ５０を外す場合には、回転スライダ４３のロックを解除して、回転スライダ４３を、その回転作動部２２の支点部２５を支点にして左回転させ、回転作動部２２を右方向に移動させて、回転作動部２２に設けたロック用爪部４４のＦＰＣ５０のロック用孔部４８へのロックを解除すると共に、ＦＰＣ５０の接点部の固定接点１８への接触を解除して、このＦＰＣ５０を固定側接片部１５と回転スライダ４３の回転作動部２２との間隙部１７−１より抜き出す。
【００６０】
上記にように本発明の実施の形態例２にあっては、コンタクト４２のリード部１１を、プリント基板４０にハンダ付けして、このプリント基板４０にコネクタ構造を実装した場合に、回転スライダ４３が挿入口５側に配置してある関係で、回転スライダ４３はコネクタ構造の先側に位置する。このために、コネクタ構造の先側に位置する挿入口５からコネクタハウジング１内にＦＰＣ５０を挿入し、回転スライダ４３を一方向に回転させることで、接点部３にＦＰＣ５０を接触させることができるようになって、トップエントリー型の対応が可能になり、ＦＰＣ５０のコネクタ接続及びこの接続の解除が容易になる。
【００６１】
また、挿入口５から電線導入口３０を介して固定側接片部１５と回転作動部２２との間の間隙部１７−１にＦＰＣ５０を挿入し、回転スライダ４３を右方向に回転させることで、回転スライダ４３の回転作動部２２に設けたロック用爪部４４をＦＰＣ５０のロック用孔部４８に係脱可能に係合させて、ＦＰＣ５０をロックすると共に、このＦＰＣ５０を固定接片部１５側に押圧して固定接点１８に接触させることができる。このように、回転スライダ４３でＦＰＣ５０にロックするために、ＦＰＣ５０の抜けが防止でき、また、回転スライダ４３を用いるために多極対応が可能になる。
【００６２】
【発明の効果】
以上、説明したように本発明に係るコネクタ構造によれば、コンタクトのリード部を、例えばプリント基板にハンダ付けして、このプリント基板にコネクタ構造を実装した場合に、回転スライダが挿入口側に配置してある関係で、回転スライダはコネクタ構造の先側に位置する。このために、コネクタ構造の先側に位置する挿入口からコネクタハウジング内に偏平電線を挿入し、回転スライダを一方向に回転させることで、接点部に偏平電線を接触させることができるようになって、トップエントリー型の対応が可能になり、偏平電線のコネクタ接続及びこの接続の解除が容易になる。
【００６３】
また、本発明に係るコネクタ構造によれば、回転スライダを一方向に回転させることで、接点部の可動接片部を固定接片部側に変位させて、偏平電線を両接点で接触挟持することができる。このように、偏平電線を直接押圧するのではなく、接点部の可動接片部を介して偏平電線を押圧するために、偏平電線の動きによって、回転スライダが外れるという不具合が解消できるし、また、回転スライダを用いるために多極対応が可能になる。
【００６４】
また、本発明に係るコネクタ構造によれば、挿入口から電線導入口を介して固定側接片部と可動側接片部との間の間隙部に偏平電線を挿入し、回転スライダを一方向に回転させることで、接点部の可動接片部を固定接片部側に変位させて、偏平電線を両接点で接触挟持することができる。このように、偏平電線を直接押圧するのではなく、接点部の可動接片部を介して偏平電線を押圧するために、偏平電線の動きによって、回転スライダが外れるという不具合が解消できるし、また、回転スライダを用いるために多極対応が可能になる。
【００６５】
また、本発明に係るコネクタ構造によれば、回転スライダを一方向に回転させることで、回転スライダで偏平電線にロックすると共に、この偏平電線を固定接片部側に押圧して固定接点に接触させることができる。このように、回転スライダで偏平電線にロックするために、偏平電線の抜けが防止でき、また、回転スライダを用いるために多極対応が可能になる。
【００６６】
また、本発明に係るコネクタ構造によれば、挿入口から電線導入口を介して固定側接片部と回転作動部との間の間隙部に偏平電線を挿入し、回転スライダを一方向に回転させることで、回転スライダの回転作動部に設けた係合部を偏平電線の係合孔部に係脱可能に係合させて、偏平電線をロックすると共に、この偏平電線を固定接片部側に押圧して固定接点に接触させることができる。このように、回転スライダで偏平電線にロックするために、偏平電線の抜けが防止でき、また、回転スライダを用いるために多極対応が可能になる。
【図面の簡単な説明】
【図１】本発明に係るコネクタ構造（実施の形態例１）の断面図である。
【図２】同コネクタ構造におけるコネクタハウジングの断面図である。
【図３】（１）〜（３）は同コネクタ構造における偏平電線のコネクタ接続の順序を示す作動説明図である。
【図４】同コネクタ構造における一方のコンタクトの正面図である。
【図５】同コネクタ構造における他方のコンタクトの正面図である。
【図６】同コネクタ構造における回転スライダの断面図である。
【図７】本発明に係るコネクタ構造（実施の形態例２）の断面図である。
【図８】同コネクタ構造における一方のコンタクトの正面図である。
【図９】同コネクタ構造における他方のコンタクトの正面図である。
【図１０】同コネクタ構造における回転スライダの断面図である。
【図１１】同回転スライダの係合爪部の斜視図である。
【図１２】（１）、（２）は同コネクタ構造における偏平電線のコネクタ接続の順序を示す作動説明図である。
【図１３】（１）、（２）は回転スライダの係合爪部の係合孔部への係合の順序を示す作動説明図である。
【図１４】従来のコネクタ構造の断面図である。
【図１５】従来のコネクタ構造の作動説明図である。
【符号の説明】
１  コネクタハウジング
２  コンタクト
３  回転スライダ
５  挿入口
１１  リード部
１２  スライダ挿入部
１３  接点部
１５  固定側接片部
１６  可動側接片部
１８  固定接点
１９  可動接点
２０  支点受部
２２  スライド挿入部
２５  支点部
３０  電線導入口
５０  ＦＰＣ（偏平電線）
【図１】
0003716641.tif 000002
【図２】
0003716641.tif 000003
【図３】
0003716641.tif 000004
【図４】
0003716641.tif 000005
【図５】
0003716641.tif 000006
【図６】
0003716641.tif 000007
【図７】
0003716641.tif 000008
【図８】
0003716641.tif 000009
【図９】
0003716641.tif 000010
【図１０】
0003716641.tif 000011
【図１１】
0003716641.tif 000012
【図１２】
0003716641.tif 000013
【図１３】
0003716641.tif 000014
【図１４】
0003716641.tif 000015
【図１５】
0003716641.tif 000016